(57)【要約】【課題】シールド電線の止水性能に優れると共に外径を肥大化させない止水部を設ける。【解決手段】４本以上のコア線の外周をシールド層で被覆し、該シールド層を絶縁樹脂層のシースで被覆しており、一端末側で前記シースおよびシールド層が切断除去されて前記コア線を露出し、前記シースの切断面に接触させて前記露出したコア線を２本一組として、それぞれ粘着性および可撓性を有する防水接着材を取り付け、かつ、前記シースの切断位置を挟んで該シースの外周面から前記複数の防水接着材を集束した外周面に熱収縮チューブで被覆され、あるいは粘着テープが巻き付けられ、該熱収縮チューブあるいは粘着テープの先端から露出したコア線の先端までの寸法を８０ｍｍ〜２００ｍｍとし、前記粘着テープ或いは熱収縮チューブの内部で、前記各防水接着材が前記２本一組のコア線同士を接触保持させるように隙間無く圧着すると共に前記シースおよびシールド層の切断面に前記防水接着材を圧着している止水部を備えている。【選択図】図３
2011065964.tif 000002
【特許請求の範囲】
【請求項１】
４本以上のコア線の外周をシールド層で被覆し、該シールド層を絶縁樹脂層のシースで被覆しており、
一端末側で前記シースおよびシールド層が切断除去されて前記コア線を露出し、前記シースの切断面に接触させて前記露出したコア線を２本一組として、それぞれ粘着性および可撓性を有する防水接着材を取り付け、
かつ、前記シースの切断位置を挟んで該シースの外周面から前記複数の防水接着材を集束した外周面に熱収縮チューブで被覆され、あるいは粘着テープが巻き付けられ、該熱収縮チューブあるいは粘着テープの先端から露出したコア線の先端までの寸法を８０ｍｍ〜２００ｍｍとし、
前記粘着テープ或いは熱収縮チューブの内部で、前記各防水接着材が前記２本一組のコア線同士を接触保持させるように隙間無く圧着すると共に前記シースおよびシールド層の切断面に前記防水接着材を圧着している止水部を備えたシールド電線。
【請求項２】
前記コア線が４本以上８本以下であり、５本あるいは７本の奇数本である場合、２本一組として前記防水接着材を取り付けると共に、残りの１本のコア線は、該１本のコア線の外周に防水接着剤を取り付け、或いはコア線と共に前記シールド層内に配線している１本のドレイン線と組み合わせて２本一組として前記防水接着材を取り付けている請求項１に記載の止水部を備えたシールド電線。
【請求項３】
前記防水接着材は、その長さを１０〜３０ｍｍとし、厚さは０．５ｍｍ〜１ｍｍのブチルシートを用いている請求項１または請求項２に記載の止水部を有するシールド電線。
【請求項４】
車両に配索され、前記止水部を設けた端末側は非浸水領域の車室内に配索されると共に、反対側の端末に接続した端子は浸水領域に配置されるコネクタに接続され、該浸水領域側から浸入する水を前記止水部で遮断している請求項１乃至請求項３のいずれか１項に記載の止水部を備えたシールド電線。
【請求項５】
請求項１乃至請求項４のいずれか１項に記載のシールド電線の止水部の形成方法であって、
前記シールド電線の一端末で、前記シースおよびシールド層を切断除去してコア線またはコア線とドレイン線を露出させ、
ついで、前記露出させたコア線を２本一組とし、あるいは２本一組のコア線と各１本のコア線とドレイン線とを前記防水接着材で被覆し、
ついで、前記シースの切断位置を挟んでシース側から前記防水接着材を集束した外周面にかけて熱収縮チューブを被せ、或いは粘着テープを巻き付け、
ついで、前記熱収縮チューブを加熱収縮し、あるいは粘着テープを外周から加圧して、前記各防水接着材内で２本一組のコア線同士あるいはコア線とドレイン線とを接触させると共に隙間無く防水接着材を密着させているシールド電線の止水部の形成方法。
【発明の詳細な説明】
【技術分野】
【０００１】
本発明は止水部を備えたシールド電線および該シールド電線の止水部の形成方法に関し、特に、車両の浸水領域から車室内等の非浸水領域に配索するシールド電線が、浸水領域においてシールド電線中に侵入した水が非浸水領域の端末側まで伝わるのを遮断する止水部を備えたものである。
【背景技術】
【０００２】
自動車に配索される電線のうち、特に、ノイズに対する遮蔽が要求される配索領域にはシールド電線が用いられている。図８（Ａ）に示すように、シールド電線１００は複数本の絶縁被覆電線からなるコア線１０２とアース用のドレイン線１０３とを金属箔や金属網チューブからなるシールド層１０４で被覆し、該シールド層１０４を絶縁樹脂層の外皮からなるシース１０５で被覆している（特開２００２−２０８３２１号公報参照）。
【０００３】
シールド電線１００は、通常、図８（Ｂ）に示すように、両端末に端子金具１０７、１０８を圧着接続し、これら端子金具１０７、１０８をコネクタ１０９Ａ、１０９Ｂに挿入し、該コネクタを機器のコネクタ収容部に嵌合し、または、他の電線端末のコネクタと嵌合接続している。
前記シールド電線１００の両端末では、シース１０５とシールド層１０４とを約８０〜２００ｍｍにわたって皮剥ぎし、露出させたコア線１０２の端末を更に皮剥ぎして端子金具１０７、１０８を圧着している。
【０００４】
前記シールド電線１００では、複数のコア線１０２の間、コア線１０２とシールド層１０４の間、シールド層１０４とシース１０５の間に空隙が存在する。よって、シールド電線１００の端子金具を接続した端末が浸水領域に位置すると、該端子金具と接続するコネクタは防水コネクタとする等の防水対策がなされる。
しかしながら、浸水領域側の皮剥端に開口する空隙を通してシールド電線１００の内部に水が伝わり、シールド電線１００の他端末に接続した端子側へと浸水が生じる恐れがある。このシールド電線１００の他端が非浸水領域に配線されると、該端末の端子は非防水コネクタに挿入されるため、シールド電線１００の浸水領域側からの浸水を非浸水領域側の端子に達するまでに止水する必要がある。
【０００５】
前記シールド電線の止水対策として、図９（Ａ）（Ｂ）に示すように、シールド電線１００の皮剥位置Ｐでシリコーンからなる止水剤１２０を注入し、前記シールド電線１００の空隙に止水剤１２０を充填し、その後、皮剥位置Ｐを挟んでシース１０５の外周から露出させた複数本のコア線１０２の外周にかけて止水機能を有する１枚のブチルパッド１２１を巻き付けて、止水部１２２を設けている場合が多い。該ブチルパッド１２１の厚さは１．５ｍｍ〜３ｍｍ程度である。
【先行技術文献】
【特許文献】
【０００６】
【特許文献１】特開２００２−２０８３２１号公報
【発明の概要】
【発明が解決しようとする課題】
【０００７】
前記図９に示す止水部１２２を設けた場合、コア線１０２が図１０（Ａ）（Ｂ）に示すように２本以上の３本、４本等の多数本の場合、コア線１０２に囲まれた中央部に空隙Ｃが発生しやすい。この空隙Ｃが発生していると、シリコーン等の止水剤を注入しても空隙Ｃの内部に浸透することができず、また、止水剤の外周をブチルパッド１２１で強く巻き付けてブチルパッドを加圧してもコア線１０２同士が接触圧が高くなるだけで空隙Ｃは保持されやすい。このように、空隙Ｃが生じると空隙Ｃを通って浸水が発生し、防水機能が低下する。近時、車両に搭載する電子制御装置が増加し、電子制御装置と接続するシールド電線が増加し、該シールド電線中のコア線が増加する傾向にある。
【０００８】
さらに、止水剤の外周に巻き付ける１枚のブチルパッド１２１は厚肉であるため、止水部１２２の外径が肥大化し、シールド電線１００が多数本あるセンサー系の回路が重なるワイヤハーネスでは、該ワイヤハーネスが外装材のコルゲートチューブ内に収容できない問題がある。
また、シールド電線１００のシース１０５の切断位置で止水剤を硬化させて止水部を形成していると、サーマルショックや車両振動で止水部にヒビやズレが発生して、止水部が破壊されるおそれがある。特に、シース１０５とコア線１０２との熱収縮率の相違により、止水部にズレは生じやすい。このズレは前記サーマルショックや車両振動をうけて増長し、止水性を維持できなくなる恐れがあり、サーマルショック試験をクリア出来ない場合もある。
【０００９】
本発明は、前記問題に鑑みてなされたもので、シールド電線内のコア線が多数本である場合に、コア線に囲まれた部分に空隙が発生しないように、かつ、サーマルショックや車両振動で止水部が破壊されないようにし、シール性能を確実に保持できる止水部を備えたシールド電線を提供することを課題としている。
【課題を解決するための手段】
【００１０】
前記課題を解決するため、本発明は、４本以上のコア線の外周をシールド層で被覆し、該シールド層を絶縁樹脂層のシースで被覆しており、
一端末側で前記シースおよびシールド層が切断除去されて前記コア線を露出し、前記シースの切断面に接触させて前記露出したコア線を２本一組として、それぞれ粘着性および可撓性を有する防水接着材を取り付け、
かつ、前記シースの切断位置を挟んで該シースの外周面から前記複数の防水接着材を集束した外周面に熱収縮チューブで被覆され、あるいは粘着テープが巻き付けられ、該熱収縮チューブあるいは粘着テープの先端から露出したコア線の先端までの寸法を８０ｍｍ〜２００ｍｍとし、
前記粘着テープ或いは熱収縮チューブの内部で、前記各防水接着材が前記２本一組のコア線同士を接触保持させるように隙間無く圧着すると共に前記シースおよびシールド層の切断面に前記防水接着材を圧着している止水部を備えたシールド電線を提供している。
【００１１】
前記コア線が４本以上８本以下であり、５本あるいは７本の奇数本である場合は、２本一組として前記防水接着材を取り付けると共に、残りの１本のコア線は、該１本のコア線の外周に防水接着剤を取り付け、或いはコア線と共に前記シールド層内に配線している１本のドレイン線と組み合わせて２本一組として前記防水接着材を取り付けている。
【００１２】
シールド電線のシールド層は金属網チューブあるいは金属箔テープで形成し、該シールド層の内面に沿って接触させてドレイン線を配線している。なお、ドレイン線を設けず、シールド層の端末をシース皮剥箇所から引き出して撚ってドレイン線とし、その端末をアース端子に接続してもよい。該ドレイン線はシールド電線の一端側でアース接続すればよく、シールド電線の他端末側の皮剥領域ではドレイン線を切断してもよい。
【００１３】
本発明は、シースを切断除去した皮剥ぎ領域に露出させたコア線を２本一組として防水接着材を巻き付けている点に特徴を有している。このように、２本一組とすると、３本以上の場合に発生する中央の空隙を確実に無くすことができ、該中央の空隙を通して浸水が生じるのを防止でき、防水機能を高めることができる。かつ、防水接着材を外周から加圧することで、切断位置に露出するシースおよびシールド層の切断端面に防水接着材の端面を押し付けることができる。
【００１４】
前記粘着性と可撓性を有する防水接着材は、その長さを１０〜３０ｍｍとし、厚さは０．５ｍｍ〜１ｍｍ程度としていることが好ましい。
該防水接着材としてはブチルシートが好適に用いられるが、前記従来例に記載した１枚のブチルパッドが厚さ１．５ｍｍ〜３ｍｍであるのに対して、厚さを１／３程度に低減している。
さらに、２本一組としてブチルシートを取り付けても、それらを集束した外周に熱収縮チューブを被せて収縮させ、あるいは粘着テープを加圧しながら巻き付けているため、ブチルシートを取り付けた止水部全体の外径の肥大化を抑制することができる。
【００１５】
前記熱収縮チューブまたは粘着テープの先端から露出したコア線の先端までの寸法は８０ｍｍ〜２００ｍｍとしている。シールド機能の点からコア線の露出領域は短い程よいが、前記した寸法を露出させると、コア線の端末に端子金具を圧着し、該端子金具をコネクタに挿入係止できる寸法を得ることができる、
【００１６】
本発明のシールド電線は、車両に配索され、前記止水部を設けた端末側は非浸水領域の車室内に配索されると共に、反対側の端末に接続した端子は浸水領域に配置されるコネクタに接続され、該浸水領域側から浸入する水を前記止水部で遮断する場合に最も好適に用いられる。
【００１７】
また、本発明は前記シールド電線の止水部の形成方法を提供している。該方法は、
前記シールド電線の一端末で、前記シースおよびシールド層を切断除去してコア線またはコア線とドレイン線を露出させ、
ついで、前記露出させたコア線を２本一組とし、あるいは２本一組のコア線と各１本のコア線とドレイン線とを前記防水接着材で被覆し、
ついで、前記シースの切断位置を挟んでシース側から前記防水接着材を集束した外周面にかけて熱収縮チューブを被せ、或いは粘着テープを巻き付け、
ついで、前記熱収縮チューブを加熱収縮し、あるいは粘着テープを外周から加圧して、前記各防水接着材内で２本一組のコア線同士あるいはコア線とドレイン線とを接触させると共に隙間無く防水接着材を密着させているシールド電線の止水部の形成方法からなる。
【００１８】
本発明のシールド電線の止水部の形成方法では、溶融したシリコーンやホットメルトを線間に浸透させて硬化しているのではなく、粘着性を有する防水接着材を押圧して隙間を無くしている。よって、止水部の形成設備を簡単にできると共に、溶融した止水剤が硬化するまで静置しておく必要がなく、生産性を高めることができる。
【発明の効果】
【００１９】
前記のように、本発明のシールド電線では、シースを切断除去して皮剥ぎし、露出させた４本以上のコア線を２本一組として防水接着材を取り付け、該防水接着材を集束した外周面を熱収縮チューブで被覆して収縮し或いは粘着テープを加圧して巻き付けて、前記防水接着材を圧着している。このように、コア線を２本一組として防水接着材を取り付けているため、コア線同士の間には隙間が発生せず、隙間を伝わる浸水を防止できる。
また、溶融するシリコーンやホットメルト等の止水剤を用いていないため、該止水剤を硬化させて設けた止水部では、シースとコア線の熱膨張率の相違によりヒビや位置ずれが発生しやすいが、本発明では粘着性のよいブチルシート等の防水接着材を用いているため、サーマルショックや車両振動により、シース残留側の内部に設けた止水部がズレたり破壊されることはなく、止水性能を高めることができる。
さらに、止水剤を被覆する厚肉のブチルパッドを巻き付ける必要はなく、熱収縮チューブで防水接着材を収縮し、あるいは粘着テープを加圧して巻き付けているため、止水部での外径の肥大化を防止できる。よって、多数本のシールド電線を集束したワイヤハーネスにおいて、止水部が集中しても外径の肥大化を防止できコルゲートチューブで外装することができる。
さらにまた、溶融する止水剤を用いる場合と比較して、防水設備が簡単であると共に作業時間も短縮できる等の利点を有する。
【図面の簡単な説明】
【００２０】
【図１】本発明の第１実施形態のシールド電線の断面図である。
【図２】前記シールド電線の車両での配線位置を示す概略図である。
【図３】（Ａ）は前記シールド電線の止水部を備えた部分を示す断面図、（Ｂ）は（Ａ）のＢ−Ｂ線断面図である。
【図４】（Ａ）〜（Ｃ）は止水部の形成工程を示す図面である。
【図５】第１実施形態の第１変形例を示す断面図である。
【図６】第１実施形態の第２変形例を示す断面図である。
【図７】第２実施形態を示すシールド電線の正面図である。
【図８】従来例を示し、（Ａ）シールド電線の断面図、（Ｂ）はシールド電線の配線状態を示す概略図である。
【図９】（Ａ）は従来のシールド電線の止水部の断面図、（Ｂ）は（Ａ）のＢ−Ｂ線断面図である。
【図１０】（Ａ）（Ｂ）は図９に示す従来例の問題点を示す。
【発明を実施するための形態】
【００２１】
以下、本発明の止水部を備えたシールド電線を図面を参照して説明する。
図１乃至図４に第１実施形態を示す。
【００２２】
図１に示すように、シールド電線１は、４〜８本（本実施形態では６本）のコア線２と、ドレイン線３とを、金属箔テープまたは金属網チューブからなるシールド層４で被覆し、該シールド層４を絶縁樹脂層の外皮からなるシース５で被覆している。本実施形態ではシールド層４は金属箔テープを巻き付けて形成している。
前記各コア線２は多数本の銅系素線をより合わせた芯線を絶縁樹脂層で被覆した被覆丸電線である。本実施形態では６本のコア線２は同一外径としている。
【００２３】
図２に示すように、シールド電線１は、前記図８（Ｂ）と同様に、両端末のコア線２にそれぞれ端子金具７Ａ、７Ｂを圧着接続している。該シールド電線１はエンジンルームの浸水領域（Ｘ）から車室内の非浸水領域（Ｙ）へと配索しており、浸水領域に位置させるシールド電線１の一端末に端子金具７Ａを接続し、防水コネクタ９Ａに挿入して接続するものとしている。非浸水領域に位置させるシールド電線１の他端末に端子金具７Ｂを接続し、非防水コネクタ９Ｂに挿入して接続するものとしている。  
前記シールド電線１の両端末では、シース５とシールド層４とを８０〜２００ｍｍ（本実施形態では１００ｍｍ）にわたって切断除去して６本のコア線２を露出させ、露出させた各コア線２の端末を更に皮剥ぎして前記端子金具７Ａ、７Ｂを圧着している。
前記シース５を皮剥ぎしてコア線２を露出させた（Ｙ）側の非浸水領域では、ドレイン線３は切断除去している。
【００２４】
前記シールド電線１は、浸水領域（Ｘ）側でシース５の切断端からシールド電線１の内部に侵入する水が非浸水領域（Ｙ）側まで流れて端子金具７Ｂへと伝わり、非防水コネクタ９Ｂ内で腐食が発生するのを防止するため、端子金具７Ｂとの接続側に図３（Ａ）（Ｂ）に示す止水部１０を設けている。
該止水部１０はシース５の切断位置Ｐ１から露出したコア線２側へ約２０ｍｍ程度の長さに亙って設け、該止水部１０からコア線２の先端Ｐ２までの距離は８０ｍｍとしている。
【００２５】
前記止水部１０は切断位置Ｐ１から露出させた６本のコア線２を２本一組として粘着性および可撓性を有する防水接着材６（６Ａ〜６Ｃ）を巻き付けて取り付けている。即ち、防水接着材６Ａ〜６Ｃをそれぞれ巻き付けた３組のペア２０Ａ、２０Ｂ、２０Ｃを設けている。各防水接着材６の一端面は切断位置Ｐ１でシース５およびシールド層４の切断端面
に接触させている。
【００２６】
前記防水接着材６として本実施形態は、厚さは０．５ｍｍ〜１ｍｍ程度で、長さを１０〜３０ｍｍ（本実施形態では長さ２０ｍｍ）としたブチルシートを用いている。該ブチルシートの厚さは前記従来例の図９に示すブチルパッドの厚さより３０％程度薄くしたものである。
【００２７】
また、前記切断位置Ｐ１を挟んで、シース５の外周面から前記３組のペア２０Ａ、２０Ｂ、２０Ｃを集束するように外周面に熱収縮チューブ８を被せ、加熱収縮し、該熱収縮チューブ８をシース５の外周面に密着させると共に前記防水接着材６Ａ〜６Ｃの外周面を押圧して密着し、止水部１０を設けている。
【００２８】
前記止水部１０では、３組のペア２０Ａ、２０Ｂ、２０Ｃはそれぞれ２本のコア線２を防水接着材６で囲み、この防水接着材６を熱収縮チューブ８で圧縮しているため、２本のコア線２が相互に接触し、かつ、２本のコア線２と防水接着材６との間に空隙が発生しない。その際、コア線が３本以上であると、前記図１０（Ａ）（Ｂ）に示すように、コア線に囲まれた中央の空隙が発生する恐れがあるが、本発明ではコア線２を２本一組としているため、空隙を発生させない。
【００２９】
図４に前記止水部１０の形成方法を示す。
まず、シールド電線１の非浸水領域（Ｙ）の端末側において、先端Ｐ２から１００ｍｍの切断位置Ｐ１でシース５およびシールド層４に環状の切れ目をいれて切断する。切断後、シース５およびシールド層４を先端Ｐ２へと移動させて抜き取り、かつ、ドレイン線３も切断し、図４（Ａ）に示すように、６本のコア線２を露出させる。
【００３０】
ついで、６本のコア線２を２本一組のペアとし、図４（Ｂ）に示すように、ブチルシートからなる防水接着材６を２本一組とした各ペアの外周に巻き付けて取り付ける。該取付位置は防水接着材６の先端が切断位置Ｐ１でシース５およびシールド層４の端面に当接するように取り付ける。
【００３１】
ついで、図４（Ｃ）に示すように、切断位置Ｐ１を挟んでシース５の外周面から前記３組のぺア２０Ａ〜２０Ｃを囲むように熱収縮チューブ８を被せる。
該熱収縮チューブ８を収縮温度で加熱して収縮させ、３組のペア２０Ａ〜２０Ｃを外周面から圧縮し、前記図３に示すように、防水接着材６をそれぞれ２本のコア線２に密着させ、かつ、シース５およびシールド層４の切断端面に密着させて、空隙のない止水部１０を形成している。
【００３２】
このように、本発明は、止水部を溶融したシリコーンやホットメルトを浸透させ、浸透後に硬化させて形成しているのではなく、粘着性および可撓性を有する防水接着剤を押圧してコア線に隙間なく圧着すると共に、切断位置Ｐ１のシース５およびシールド層４の切断端面に防水接着材６を押し付けて粘着している。よって、サーマルショックや車両振動の影響によりシース５とコア線２との間で防水接着材６が位置ずれして剥離することはなく、サーマルショックにおける耐久試験で設定したシール性を確保することができる。
また、コア線を２本一組としてブチルシートからなる防水接着材を取り付けているが、該ブチルシートは従来止水剤を被覆するために用いているブチルパッドよりも薄く、かつ、熱収縮チューブを被せて収縮し、該熱収縮チューブでブチルシートを圧縮しているため、外径の肥大化を抑制できる。
【００３３】
図５に第１実施形態の第１変形例を示す。
該変形例では、シールド電線１のコア線２は５本である。よって、コア線２を２本一組とした２組のペア２０Ａ、２０Ｂと、１本のコア線と１本のドレイン線３とを一組としたペア３０Ａを設けている。
これら３組のペア２０Ａ、２０Ｂ、３０Ａを第１実施形態と同様に熱収縮チューブ８で被覆し、加熱収縮している。
【００３４】
図６に第１実施形態の第２変形例を示す。
該第２変形例は第１変形例と同様にコア線２は５本であるが、皮剥領域ではドレイン線も切断除去している。よって、コア線２を２本一組として２組のペア２０Ａ、２０Ｂを設け、残りの１本のコア線２Ｃにも防水接着材６Ｃを巻き付け、その後、第１実施形態と同様に、熱収縮チューブ８で被覆し、加熱収縮している。
この１本のコア線２Ｃにも防水接着材６Ｃを巻き付けることで、該防水接着材６Ｃを切断位置Ｐ１でシース５やシールド層４の切断端面に押し付けて、シールド電線１内からの浸水を遮断することができる。
【００３５】
図７に第２実施形態を示す。
第２実施形態では、熱収縮チューブを用いる代わりに、塩化ビニル等からなる粘着テープ１５を用い、前記コア線２を２本一組（２０Ａ、２０Ｂ）として巻き付けた防水接着材６の外周面に粘着テープ１５を強く締め付けるようにハーフラップ巻きしている。この粘着テープ１５の巻き付けにより、ブチルシートからなる前記防水接着材を圧縮してコア線２に押し付け、かつ、２本のコア線同士を互いに接触させている。
他の構成および作用は第１実施形態と同様であるため、説明を省略する。
【符号の説明】
【００３６】
１  シールド電線
２  コア線
４  シールド層
５  シース
６  防水接着材
８  熱収縮チューブ
１０  止水部
１５  粘着テープ  
２０Ａ〜２０Ｃ  ２本一組のペア
Ｐ１  切断位置
【図１】
2011065964.tif 000003
【図２】
2011065964.tif 000004
【図３】
2011065964.tif 000005
【図４】
2011065964.tif 000006
【図５】
2011065964.tif 000007
【図６】
2011065964.tif 000008
【図７】
2011065964.tif 000009
【図８】
2011065964.tif 000010
【図９】
2011065964.tif 000011
【図１０】
2011065964.tif 000012